(57)【要約】【課題】レンズ鏡筒に搭載した際に、レンズ鏡筒の径方向の寸法を大きくすることなく、レンズ鏡筒の光軸方向の小型化（薄型化）を図ることができるバリア機構を提供する。【解決手段】レンズ鏡筒の沈胴動作にしたがって、回動部材１０７が時計回りの方向へ回動される。回動部材１０７の回動力は、ベース部材１０４のボール支持孔にそれぞれ支持され、回動部材１０７に当接している第１の駆動用ボール１０５の当接部に摩擦力（第１の摩擦力）を生じさせ、第１の駆動用ボール１０５を回転させる。この回転が、回動部材１０７とは反対側で第１の駆動用ボール１０５と当接する上半バリア羽根１０３ａおよび下半バリア羽根１０３ｂとの当接部にさらなる摩擦力（第２の摩擦力）を生じさせ、上半バリア羽根１０３ａおよび下半バリア羽根１０３ｂをそれぞれラジカル方向へ移動させ、バリア羽根を閉じる。【選択図】図７
2011257566.tif 000002
【特許請求の範囲】
【請求項１】
バリア羽根と、
光軸を中心として回動可能な回動部材と、
前記回動部材の回動による回動力を前記バリア羽根に伝達する回転体と、
前記バリア羽根を回動可能に支え、かつ前記回転体を支持するベース部材と、
を備え、
前記回転体は、前記回動部材の回動による回動力を前記バリア羽根に伝達することにより、前記バリア羽根を開位置および閉位置に移動させることを特徴とするバリア機構。
【請求項２】
前記回転体は、前記回動部材と前記バリア羽根との間に配置されて、前記回動部材および前記バリア羽根とにそれぞれ当接され、
前記回動部材の回動により、前記回動部材と前記回転体との当接部に前記回転体を回転させる第１の摩擦力を発生させ、前記回転体と前記バリア羽根との当接部に前記バリア羽根を駆動させる第２の摩擦力を発生させることを特徴とする請求項１に記載のバリア機構。
【請求項３】
前記バリア羽根の被写体側に配置されるカバー板と、
前記カバー板に支持されるとともに、前記バリア羽根と当接する第２の回転体と、
を備え、
前記第２の回転体は、前記バリア羽根の駆動に伴って回転することを特徴とする請求項１また２に記載のバリア機構。
【請求項４】
前記第１の回転体と前記第２の回転体とは、前記バリア羽根を中間に挟持しつつ光軸と平行な一直線上に配置されていることを特徴とする請求項３に記載のバリア機構。
【請求項５】
前記第２の回転体の被写体側面と当接させて、前記第２の回転体の回転動作を安定させる規制部材を備えていることを特徴とする請求項３または４に記載のバリア機構。
【請求項６】
請求項１〜５のいずれか一つに記載のバリア機構と、
レンズと、
前記回動部材より像側に配置され、前記バリア羽根の駆動を干渉しない位置に前記レンズを保持するレンズ保持部材と、
を備えていることを特徴とするレンズ鏡筒。
【発明の詳細な説明】
【技術分野】
【０００１】
この発明は、カメラなどの光学装置に搭載されたレンズを保護するためのバリア機構、およびこのバリア機構を備えたレンズ鏡筒に関する。
【背景技術】
【０００２】
従来より、カメラなどの光学装置に搭載されたレンズを保護するためのバリア機構が数多く提案されている（たとえば、特許文献１，２を参照。）。
【０００３】
特許文献１に記載のバリア機構は、レンズバリアが、レンズ鏡筒本体の軸心上の点を中心とする部分球殻状で、上下に二分割の上半バリア部と下半バリア部とを有し、中心を通り軸心と直交する軸の回りに回動させて開閉するようになっている。すなわち、副リングに設けた突起状ア−ム部によって各バリア部の軸支部を相反する上下方向に回動させることによってレンズバリアの開閉を行う。
【０００４】
また、特許文献２に記載のバリア機構は、カメラの沈胴時にはバリア機構のバリア羽根を閉位置に移動させ、カメラの使用時にはバリア機構のバリア羽根を開位置に移動させてバリア機構を撮像側に移動させることによって、焦点距離のワイド化とレンズ鏡筒の径方向の小型化を実現する。
【先行技術文献】
【特許文献】
【０００５】
【特許文献１】特開２００２−２５８１３３号公報
【特許文献２】特開平７−２２５４０９号公報
【発明の概要】
【発明が解決しようとする課題】
【０００６】
特許文献１に記載のバリア機構では、カメラの沈胴時におけるレンズ鏡筒の小型化（薄型化）は図れる。しかしながら、バリア機構のバリア羽根を開位置に退避した際に、バリア羽根を格納するためのスペースを確保しなければならず、他の部材の配置スペースが制約されレンズ鏡筒の設計自由度が落ちるという問題があった。加えて、当該バリア機構を備えたレンズ鏡筒の径方向における小型化が妨げられるという問題もあった。
【０００７】
また、特許文献２に記載のバリア機構では、カメラの使用時における焦点距離のワイド化を実現することができるとともに光学系の有効口径を狭くすることなくレンズ鏡筒の径方向の小型化が図れる。しかしながら、カメラの沈胴時に、バリア機構を繰出してバリア羽根を閉位置に移動させるため、当該バリア機構を備えたレンズ鏡筒の光軸方向における小型化（薄型化）が妨げられるという問題があった。
【０００８】
この発明は、上述した従来技術による問題点を解消するため、レンズ鏡筒に搭載した際に、レンズ鏡筒の径方向の寸法を大きくすることなく、レンズ鏡筒の光軸方向の小型化（薄型化）を図ることができるバリア機構を提供することを目的とする。また、当該バリア機構を備えたレンズ鏡筒を提供することも目的としている。
【課題を解決するための手段】
【０００９】
上述した課題を解決し、この発明にかかるバリア機構は、バリア羽根と、光軸を中心として回動可能な回動部材と、前記回動部材の回動による回動力を前記バリア羽根に伝達する回転体と、前記バリア羽根を回動可能に支え、かつ前記回転体を支持するベース部材と、を備え、前記回転体は、前記回動部材の回動による回動力を前記バリア羽根に伝達することにより、前記バリア羽根を開位置および閉位置に移動させることを特徴とする。
【００１０】
さらに、この発明にかかるバリア機構は、前記回転体が、前記回動部材と前記バリア羽根との間に配置されて、前記回動部材および前記バリア羽根とにそれぞれ当接され、前記回動部材の回動により、前記回動部材と前記回転体との当接部に前記回転体を回転させる第１の摩擦力を発生させ、前記回転体と前記バリア羽根との当接部に前記バリア羽根を駆動させる第２の摩擦力を発生させることを特徴とする。
【００１１】
さらに、この発明にかかるバリア機構は、前記バリア羽根の被写体側に配置されるカバー板と、前記カバー板に支持されるとともに、前記バリア羽根と当接する第２の回転体と、を備え、前記第２の回転体は、前記バリア羽根の駆動に伴って回転することを特徴とする。
【００１２】
さらに、この発明にかかるバリア機構は、前記第１の回転体と前記第２の回転体とは、前記バリア羽根を中間に挟持しつつ光軸と平行な一直線上に配置されていることを特徴とする。
【００１３】
さらに、この発明にかかるバリア機構は、前記第２の回転体の被写体側面と当接させて、前記第２の回転体の回転動作を安定させる規制部材を備えていることを特徴とする。
【００１４】
また、この発明にかかるレンズ鏡筒は、前記バリア機構と、レンズと、前記回動部材より像側に配置され、前記バリア羽根の駆動を干渉しない位置に前記レンズを保持するレンズ保持部材と、を備えていることを特徴とする。
【発明の効果】
【００１５】
この発明にかかるバリア機構によれば、レンズ鏡筒に搭載した際に、レンズ鏡筒の径方向の寸法を大きくすることなく、レンズ鏡筒の光軸方向の小型化（薄型化）を図ることができるという効果を奏する。また、この発明にかかるレンズ鏡筒によれば、前述のようなバリア機構を備えることで、径方向に大型化することなく、光軸方向の小型化（薄型化）を図ることができるという効果を奏する。
【図面の簡単な説明】
【００１６】
【図１】実施の形態１にかかるバリア機構の構成を説明するための被写体側から見た分解斜視図である。
【図２】実施の形態１にかかるバリア機構の構成を説明するための光学装置本体側から見た分解斜視図である。
【図３】実施の形態１にかかるバリア機構を備えたレンズ鏡筒の構成を説明するための被写体側から見た分解斜視図である。
【図４】実施の形態１にかかるバリア機構を備えたレンズ鏡筒の組み立て手順を説明するための図である。
【図５】実施の形態１にかかるバリア機構を備えたレンズ鏡筒の組み立て手順を説明するための図である。
【図６】実施の形態１にかかるバリア機構を備えたレンズ鏡筒の組み立て手順を説明するための図である。
【図７】実施の形態１にかかるバリア機構の構成を示す被写体側から見た正面図である。
【図８】実施の形態１にかかるバリア機構を搭載したレンズ鏡筒の構成を示す光軸に沿う断面図（バリア羽根の開状態：光学装置使用時）である。
【図９】実施の形態１にかかるバリア機構を搭載したレンズ鏡筒の構成を示す光軸に沿う断面図（バリア羽根の閉状態：沈胴時）である。
【図１０】実施の形態２にかかるバリア機構が搭載されたレンズ鏡筒の構成を示す部分断面図である。
【図１１】実施の形態３にかかるバリア機構が搭載されたレンズ鏡筒の構成を示す部分断面図である。
【発明を実施するための形態】
【００１７】
以下、添付図面を参照して、この発明にかかるバリア機構、およびレンズ鏡筒の好適な実施の形態を詳細に説明する。
【００１８】
（実施の形態１）
図１は、実施の形態１にかかるバリア機構の構成を説明するための被写体側から見た分解斜視図である。また、図２は、実施の形態１にかかるバリア機構の構成を説明するための光学装置本体側から見た分解斜視図である。両図において、左が被写体側、右が光学装置本体側である。図１および図２では、被写体側から順に、バリア機構１００の構成部材である、化粧板１０１（カバー板）、第２の駆動用ボール１０２（第２の回転体）、バリア羽根１０３、ベース部材１０４、第１の駆動用ボール１０５（回転体）、付勢バネ１０６、および回動部材１０７を示している。このバリア機構１００は、カメラなどの光学装置本体に搭載されるレンズ鏡筒の先端部に取り付けられ、レンズを保護するためのものである。
【００１９】
バリア羽根１０３は、上半バリア羽根１０３ａと下半バリア羽根１０３ｂとからなる。上半バリア羽根１０３ａ、下半バリア羽根１０３ｂには、それぞれを後述するベース部材のボスに取り付けるための嵌通孔１０３ｃ，１０３ｄが形成されている。
【００２０】
ベース部材１０４には、ボス１０４ａ，１０４ｂが設けられている。上半バリア羽根１０３ａの嵌通孔１０３ｃと、下半バリア羽根１０３ｂの嵌通孔１０３ｄそれぞれに、ボス１０４ａ，１０４ｂで嵌通させることで、ボス１０４ａ，１０４ｂを中心にそれぞれ上半バリア羽根１０３ａ、下半バリア羽根１０３ｂが回動可能になる。また、ベース部材１０４には、第１の駆動用ボール１０５を支持するためのボール支持孔１０４ｃ，１０４ｄが形成されている。これらボール支持孔１０４ｃ，１０４ｄは、ボス１０４ａ，１０４ｂの近傍に形成されている。第１の駆動用ボール１０５は、ボール支持孔１０４ｃ，１０４ｄに支持された状態で、上半バリア羽根１０３ａ、下半バリア羽根１０３ｂの光学装置本体側の面に当接する。また、ベース部材１０４には、付勢バネ１０６の一端部１０６ａを取り付けるためのフック部１０４ｅが設けられている。さらに、ベース部材１０４には、後述するレンズ鏡筒本体にねじ２０６で固定するための嵌通孔１０４ｆ，１０４ｇが形成されている。
【００２１】
化粧板１０１には、それぞれ上半バリア羽根１０３ａの嵌通孔１０３ｃ、下半バリア羽根１０３ｂの嵌通孔１０３ｄから抜け出たボス１０４ａ，１０４ｂの上部を嵌通させるための嵌通孔１０１ａ，１０１ｂが形成されている。この嵌通孔１０１ａ，１０１ｂでボス１０４ａ，１０４ｂの上部を支えることで、ボス１０４ａ，１０４ｂで軸支される上半バリア羽根１０３ａ、下半バリア羽根１０３ｂがボス１０４ａ，１０４ｂから外れることなく回動可能になる。また、化粧板１０１には、第２の駆動用ボール１０２を支持するためのボール支持孔１０１ｃ，１０１ｄが形成されている。ボール支持孔１０１ｃ，１０１ｄは、それぞれ嵌通孔１０１ａ，１０１ｂの近傍で、上半バリア羽根１０３ａ、下半バリア羽根１０３ｂに対してボール支持孔１０４ｃ，１０４ｄと線対称な位置に形成されることが好ましい。このようにすることで、上半バリア羽根１０３ａ、下半バリア羽根１０３ｂの回動が安定する（詳細は後述）。第２の駆動用ボール１０２は、それぞれボール支持孔１０１ｃ，１０１ｄに支持された状態で、上半バリア羽根１０３ａ、下半バリア羽根１０３ｂの被写体側の面に当接する。さらに、化粧板１０１には、ねじ２０６で、ベース部材１０４とともに後述するレンズ鏡筒本体に固定するための嵌通孔１０１ｅ，１０１ｆが形成されている。
【００２２】
回動部材１０７には、付勢バネ１０６の他端部１０６ｂを取り付けるためのフック部１０７ａが設けられている。このフック部１０７ａとベース部材１０４のフック部１０４ｅに付勢バネ１０６を取り付けることにより、回動部材１０７はベース部材１０４に対して光軸を中心に常時半時計回りの方向に付勢されることになる。また、この回動部材１０７には、後述する縦溝筒の溝部に嵌合させるためのレバー部１０７ｂが設けられている。
【００２３】
次に、実施の形態１にかかるバリア機構を備えたレンズ鏡筒の組み立て手順を説明する。図３は、実施の形態１にかかるバリア機構を備えたレンズ鏡筒の構成を説明するための被写体側から見た分解斜視図である。また、図４〜図６は、実施の形態１にかかるバリア機構を備えたレンズ鏡筒の組み立て手順を説明するための図である。なお、図３〜図６において、左が被写体側である。
【００２４】
図３では、被写体側から順に、レンズ鏡筒２００の構成部材である、化粧リング２０１（規制部材）、バリア機構１００、レンズ２０２、レンズ保持部材２０３、レンズ鏡筒本体２０４、および縦溝筒２０５が示されている。レンズ鏡筒本体２０４には、バリア機構１００を固定するための固定穴２０４ａ，２０４ｂが形成されている。また、縦溝筒２０５には、回動部材１０７のレバー部１０７ｂと嵌合させるための溝部２０５ａが形成されている。
【００２５】
まず、付勢バネ１０６の一端部１０６ａをベース部材１０４のフック部１０４ｅに取り付けるとともに、付勢バネ１０６の他端部１０６ｂを回動部材１０７のフック部１０７ａに取り付け、回動部材１０７をベース部材１０４の光学装置側に配置する。このようにすることで、回動部材１０７はベース部材１０４に対して光軸を中心に常時半時計回りの方向に付勢されることになる。続けて、第１の駆動用ボール１０５を、ベース部材１０４のボール支持孔１０４ｃ，１０４ｄに嵌め込む。第１の駆動用ボール１０５は、それぞれボール支持孔１０４ｃ，１０４ｄに支持された状態で、回動部材１０７の被写体側の面に当接するようになる。次に、ベース部材１０４のボス１０４ａ，１０４ｂに、それぞれ上半バリア羽根１０３ａの嵌通孔１０３ｃと、下半バリア羽根１０３ｂの嵌通孔１０３ｄを取り付ける。このとき、第１の駆動用ボール１０５は、それぞれボール支持孔１０４ｃ，１０４ｄに支持された状態で、上半バリア羽根１０３ａ、下半バリア羽根１０３ｂの光学装置本体側の面に当接するようになる。次に、上半バリア羽根１０３ａの嵌通孔１０３ｃ、下半バリア羽根１０３ｂの嵌通孔１０３ｄから抜け出たボス１０４ａ，１０４ｂの上部を、それぞれ化粧板１０１の嵌通孔１０１ａ，１０１ｂに嵌め込む。次に、第２の駆動用ボール１０２を、化粧板１０１のボール支持孔１０１ｃ，１０１ｄに嵌め込む。このとき、第２の駆動用ボール１０２は、それぞれボール支持孔１０１ｃ，１０１ｄに支持された状態で、上半バリア羽根１０３ａ、下半バリア羽根１０３ｂの被写体側の面に当接する。
【００２６】
次に、レンズ２０２をレンズ保持部材２０３で保持してレンズ鏡筒本体２０４に収容する。続いて、ねじ２０６を、化粧板１０１の嵌通孔１０１ｅとベース部材１０４の嵌通孔１０４ｆに嵌通させて固定穴２０４ａに螺合する。また、ねじ２０６を、化粧板１０１の嵌通孔１０１ｆとベース部材１０４の嵌通孔１０４ｇに嵌通させて固定穴２０４ｂに螺合する。そして、縦溝筒２０５をレンズ鏡筒本体２０４の光学装置側から嵌め込む。このときの状態を示すのが図４である。また、このとき、図５に示すように、縦溝筒２０５の溝部２０５ａと回動部材１０７のレバー部１０７ｂとが嵌合するように、縦溝筒２０５をレンズ鏡筒本体２０４に嵌め込む。最後に、図６に示すように、化粧リング２０１をレンズ鏡筒本体２０４の先端部（被写体側）に取り付ける。これにより、化粧板１０１のボール支持孔１０１ｃ，１０１ｄで支持されている第２の駆動用ボール１０２の被写体側面と化粧リング２０１とを当接させて、第２の駆動用ボール１０２の回転動作を安定させることができる。
【００２７】
次に、このバリア機構１００の動作について説明する。図７は、実施の形態１にかかるバリア機構の構成を示す被写体側から見た正面図である。図８は、実施の形態１にかかるバリア機構を搭載したレンズ鏡筒の構成を示す光軸に沿う断面図（バリア羽根の開状態：光学装置使用時）である。また、図９は、実施の形態１にかかるバリア機構を搭載したレンズ鏡筒の構成を示す光軸に沿う断面図（バリア羽根の閉状態：沈胴時）である。
【００２８】
図７において、実線で示された上半バリア羽根１０３ａ、下半バリア羽根１０３ｂはバリア羽根１０３の開状態、破線で示された上半バリア羽根１０３ａ、下半バリア羽根１０３ｂはバリア羽根１０３の閉状態を示している。図７に示すように、回動部材１０７は光軸を中心としてベース部材１０４に対して回動可能になっており、光学装置使用時には、付勢バネ１０６により、ベース部材１０４に対して反時計回りの方向に付勢され、バリア羽根１０３が開いた状態に保持される。
【００２９】
これに対して、沈胴時（光学装置不使用時）には、レンズ鏡筒２００の沈胴動作にしたがって、縦溝筒２０５が図７の時計回りの方向に回転し、これにより縦溝筒２０５の溝部２０５ａに嵌合している回動部材１０７のレバー部１０７ｂに対して縦溝筒２０５と同方向へ力を及ぼし、回動部材１０７を縦溝筒２０５と同方向へ光軸を中心に回動させる。この回動力は、ベース部材１０４のボール支持孔１０４ｃ，１０４ｄにそれぞれ支持され、回動部材１０７の被写体側に当接している第１の駆動用ボール１０５の当接部に摩擦力（第１の摩擦力）を生じさせ、第１の駆動用ボール１０５を回転させる。この回転が、回動部材１０７とは反対側で第１の駆動用ボール１０５と当接する上半バリア羽根１０３ａおよび下半バリア羽根１０３ｂとの当接部にさらなる摩擦力（第２の摩擦力）を生じさせ、上半バリア羽根１０３ａおよび下半バリア羽根１０３ｂをそれぞれラジカル方向へ移動させ、バリア羽根を閉じる。一方、上半バリア羽根１０３ａおよび下半バリア羽根１０３ｂの被写体側面も、化粧板１０１のボール支持孔１０１ｃ，１０１ｄに支持されている第２の駆動用ボール１０２に当接している。このため、上半バリア羽根１０３ａおよび下半バリア羽根１０３ｂの駆動時には、第２の駆動用ボール１０２におけるそれぞれ上半バリア羽根１０３ａおよび下半バリア羽根１０３ｂとの当接部に摩擦力が生じる。第２の駆動用ボール１０２は上半バリア羽根１０３ａおよび下半バリア羽根１０３ｂの移動にしたがって回転することで、上半バリア羽根１０３ａおよび下半バリア羽根１０３ｂに対して余計な摩擦力を発生させることなく、上半バリア羽根１０３ａおよび下半バリア羽根１０３ｂのスムーズで安定した駆動を保障する。なお、バリア羽根１０３を開く動作は、縦溝筒２０５を図７において反時計回りの方向へ回転させることで行われる。このときの動作は、上記とは逆方向となること以外は同様であるため、説明は省略する。
【００３０】
以上説明したように、実施の形態１にかかるバリア機構では、第１の駆動用ボール１０５の摩擦力でバリア羽根１０３を駆動させるため、バリア羽根１０３を閉位置に移動させる途中で、使用者の指がバリア羽根１０３に挟まれてしまった場合、第１の駆動用ボール１０５は空回りして、第２の駆動用ボール１０２に回動力が伝達されず、バリア羽根１０３の動作が止まる。したがって、万一使用者の指がバリア羽根１０３に挟まれたとしても、怪我をするようなことはなく、安全である。
【００３１】
これにより、従来一般的であった、指挟みを防止するためにベース部材１０４と回動部材１０７との間に配置される連動環および回動部材と連動環とを連動する連動付勢バネを廃止することが可能になるので、部品点数の削減が可能になり、製造コストを低減することができる（図８、図９を参照）。したがって、実施の形態１によれば、連動環が不要になった分だけ、レンズ鏡筒の光軸方向の小型化（薄型化）が可能になる。しかも、第１の駆動用ボール１０５は、従来と同じ大きさのベース部材１０４に形成されたボール支持孔１０４ｃ，１０４ｄに支持されているので、径方向の大型化を招くこともない。
【００３２】
また、従来必須であった連動環を廃止することができるようになったことで、レンズ鏡筒２００の先端部からレンズ２０２までの距離を従来より短くして、レンズ２０２の被写体側面をレンズ鏡筒２００の先端部に近づけることができるようになった。この結果、従来に比べ、より広角化を図ることができる。また、図８、図９に示したように、レンズ保持部材２０３は、回動部材１０７より像側（光学装置本体側）に配置され、上半バリア羽根１０３ａおよび下半バリア羽根１０３ｂの駆動を干渉しない位置にレンズ２０２を保持している。したがって、バリア羽根１０３のスムーズな駆動が可能になる。
【００３３】
なお、実施の形態１では、回動部材１０７の回動力を効率よくバリア羽根１０３に伝達し、バリア羽根１０３の駆動を安定して実現するために、回動部材１０７の回動力の伝達部材としての第１の駆動用ボール１０５を上半バリア羽根１０３ａおよび下半バリア羽根１０３ｂの回転軸であるボス１０４ａ，１０４ｂの近傍に配置した。しかしながら、回動部材１０７の回動力を効率よくバリア羽根１０３に伝達できるのであれば、第１の駆動用ボール１０５の配置位置は特に限定されない。また、第１の駆動用ボール１０５の形状も球体に限らず、回動部材１０７の回動力を効率よくバリア羽根１０３に伝達できる形状であればどのようなものであってもよい。たとえば円柱形状のものであっても差し支えない。さらに、第２の駆動用ボール１０２の配置位置も、実施の形態１に示したように、バリア羽根１０３に対して第１の駆動用ボール１０５と線対称となる位置に配置することが、バリア羽根１０３のスムーズで安定した駆動を保障するためには最も理想的である。しかしながら、バリア羽根１０３のスムーズな駆動に支障がなければ、第２の駆動用ボール１０２の配置位置も特に限定されることはない。
【００３４】
（実施の形態２）
実施の形態１に示したように、第２の駆動用ボール１０２を化粧板１０１で支持し、第２の駆動用ボール１０２とバリア羽根１０３の被写体側面とが当接するような構成を採用すれば、バリア羽根１０３の駆動がスムーズで安定する。しかしながら、化粧板１０１の材質がバリア羽根１０３との間で余計な摩擦力を生じ、バリア羽根１０３の駆動に支障をきたすようなことがなければ、あえて第２の駆動用ボール１０２を設ける必要はない。そこで、実施の形態２では、第２の駆動用ボール１０２を設けない例を示す。
【００３５】
図１０は、実施の形態２にかかるバリア機構が搭載されたレンズ鏡筒の構成を示す部分断面図である。図１０に示すように、このバリア機構３００では、第２の駆動用ボール１０２を設けていない。したがって、化粧板１０１に、第２の駆動用ボール１０２を支持するためのボール支持孔１０１ｃ，１０１ｄも形成していない。この他の構成は、実施の形態１と同様である。
【００３６】
（実施の形態３）
実施の形態１に示したように、第２の駆動用ボール１０２を化粧板１０１で支持し、化粧リング２０１をレンズ鏡筒本体２０４の先端部（被写体側）に取り付け、第２の駆動用ボール１０２とバリア羽根１０３の被写体側とが当接するような構成を説明した。しかしながら、実施の形態３では、化粧板だけで第２の駆動用ボール１０２を支持しつつ、第２の駆動用ボール１０２の光軸方向への移動を規制することが可能な例を示す。
【００３７】
図１１は、実施の形態３にかかるバリア機構が搭載されたレンズ鏡筒の構成を示す部分断面図である。図１１に示すように、このバリア機構４００では、化粧板４０１の像面側（光学装置本体側）に形成された凹部４０１ａに第２の駆動用ボール１０２を嵌め込むことで、第２の駆動用ボール１０２を支持しつつ、第２の駆動用ボール１０２の光軸方向への移動を規制することが可能になる。この他の構成は、実施の形態１および実施の形態２と同様である。
【産業上の利用可能性】
【００３８】
以上のように、この発明にかかるバリア機構、およびレンズ鏡筒は、カメラなどの光学装置に有用であり、特に、光軸方向の小型化が要求される光学装置に適している。
【符号の説明】
【００３９】
１００，３００，４００  バリア機構
１０１，４０１  化粧板（カバー板）
１０１ａ，１０１ｂ，１０１ｅ，１０１ｆ，１０３ｃ，１０３ｄ，１０４ｆ，１０４ｇ  嵌通孔
１０１ｃ，１０１ｄ，１０４ｃ，１０４ｄ  ボール支持孔
１０２  第２の駆動用ボール（第２の回転体）
１０３  バリア羽根
１０３ａ  上半バリア羽根
１０３ｂ  下半バリア羽根
１０４  ベース部材
１０４ａ，１０４ｂ  ボス
１０４ｅ，１０７ａ  フック部
１０５  第１の駆動用ボール（回転体）
１０６  付勢バネ
１０６ａ  一端部
１０６ｂ  他端部
１０７  回動部材
１０７ｂ  レバー部
２００  レンズ鏡筒
２０１  化粧リング（規制部材）
２０２  レンズ
２０３  レンズ保持部材
２０４  レンズ鏡筒本体
２０４ａ，２０４ｂ  固定穴
２０５  縦溝筒
２０５ａ  溝部
２０６  ねじ
【図１】
2011257566.tif 000003
【図２】
2011257566.tif 000004
【図３】
2011257566.tif 000005
【図４】
2011257566.tif 000006
【図５】
2011257566.tif 000007
【図６】
2011257566.tif 000008
【図７】
2011257566.tif 000009
【図８】
2011257566.tif 000010
【図９】
2011257566.tif 000011
【図１０】
2011257566.tif 000012
【図１１】
2011257566.tif 000013